(57)【要約】【課題】画像の上下を逆にしても画像の濃度や階調が変化することがない画像形成装置を提供する。【解決手段】長辺綴じモードであることを判別すると（ＳＰ１）、読取りデータをメモリから出力し（ＳＰ２）、用紙サイズを判定して用紙の印刷領域における副走査方向の一端から他端までの走査線総数が偶数であるかどうかを判別し（ＳＰ３）、偶数であれば印刷領域に印刷されるデータの副走査方向の走査線総数が奇数になるように補正し（ＳＰ４）、第１面の印刷であればそのまま印刷し（ＳＰ６）、第２面であれば上下を反転して（ＳＰ７）して印刷を行う。【選択図】図２
2007274098.tif 000002
【特許請求の範囲】
【請求項１】
主走査方向および前記主走査方向に直交する副走査方向に配列された画像データを前記主走査方向および前記副走査方向に走査することによって顕在化された画像を形成する画像形成装置であって、
前記画像データは、前記副走査方向において、実データで構成された実潜像ラインと、前記実データを用いて形成された虚潜像ラインとを含み、
前記画像データの前記副走査方向における一端から他端までを走査したときの走査線総数が奇数になるように、前記画像データを保持するデータ保持手段を備える、画像形成装置。
【請求項２】
前記データ保持手段は、
前記画像データの前記副走査方向における一端から他端までを走査したときの走査線総数が偶数であるか否かを判別する判別手段と、
前記判別手段によって判別された走査線総数が偶数であると判別されたことに応じて、前記走査線総数が奇数になるように前記画像データを補正する補正手段とを含む、請求項１に記載の画像形成装置。
【請求項３】
前記補正手段は、前記偶数と判別された走査線総数に１本の走査線を加算あるいは減算する、請求項２に記載の画像形成装置。
【請求項４】
前記画像データは、用紙上に顕在化され、
前記走査線総数は、前記用紙のサイズにより予め決められており、
前記判別手段は、用紙のサイズを判別することにより前記走査線総数が偶数であるか否かを判別する、請求項２または３に記載の画像形成装置。
【請求項５】
前記画像データを前記用紙の両面に印刷する印刷手段と、
前記補正手段によって補正されたデータを、前記用紙の一方面の印刷領域に、前記画像データを、前記副走査方向の一方端から読み出して印刷した後、前記用紙の他方面の印刷領域に、前記副走査方向の他方端から読み出して印刷するよう、前記印刷手段を制御する制御手段とをさらに含む、請求項２から４のいずれかに記載の画像形成装置。
【発明の詳細な説明】
【技術分野】
【０００１】
この発明は画像形成装置に関し、特に、擬似高解像度モードでデータを印刷できる画像形成装置に関する。
【背景技術】
【０００２】
画像形成装置において、印刷するドットを１／４あるいは１／８に分解し、斜線などで生じるギザギザ（ジャギー）を補完することでジャギーを目立たなくする擬似高解像度の手法が用いられている。このような擬似高解像度に関しては、特許第３２７５０５０号公報（特許文献１）に記載されている。
【０００３】
擬似高解像度の手法は、図４の実線で示すように２つの実潜像の間を点線で示す虚潜像で補完するものであり、図５に示すように物理的走査線と呼ばれている実潜像ライン１間に、物理的走査線間に位置するインターリーブ走査線と呼ばれている虚潜像ライン２を配置することにより、実潜像と実潜像との間を虚潜像で補完することで解像度を高くしている。
【特許文献１】特許第３２７５０５０号公報（第２６欄第４９行〜第２７欄第１６行、第１７図）
【発明の開示】
【発明が解決しようとする課題】
【０００４】
ところで、画像形成装置は、用紙の両面に文字などを印刷するモードを選択することが可能になっている。例えば、原稿として、長方形の１枚目の用紙４には、図６（Ａ）に示すように、主走査方向である短辺に対して平行に文字「ＡＢＣＤ」が記載され、２枚目の用紙５には、図６（Ｂ）に示すように同じく短辺に対して平行に文字「ＥＦＧＨ」が記載されていて、それぞれを短辺に対して直交する矢印に示す副走査方向に読取って、同じく副走査方向に両面印刷する場合を想定する。
【０００５】
両面印刷すると図６（Ｃ）に示すように、用紙６の一方面と他方面とに印刷される文字が上下逆になる。このように両面印刷された用紙６を一方の短辺側で綴じた場合（以下、短辺綴じと称する）には、一方の短辺側を中心に用紙６をめくることになるため、用紙６をめくったときには他方面の文字は上下が正常に現れる。
【０００６】
長辺綴じの場合は、一方の長辺側を中心に用紙６をめくることになるため、用紙６をめくったときには他方面の文字が上下が反転してしまうので、他方面の文字を上下入れ替える必要がある。このために他方面の文字データの掃き出し方向を逆にする必要がある。
【０００７】
デジタル複合機などの画像形成装置では、図６（Ａ），（Ｂ）に示すように原稿から読取った画像データは、一旦メモリ等に記憶される。この画像データを用いて、たとえば、長辺綴じモードを選択して、上記のような印刷をするには、プリンタの用紙の搬送方向は同じであるため、図６（Ｃ）に示すように、表面側を副走査方向の上側から読むと、裏面側の画像データを読出すときには、下側から読出す必要がある。
【０００８】
このような画像データを用いて、一例として、１２００ｄｐｉの擬似高解像度で、Ａ４用紙の長辺綴じ印刷を行う場合について説明する。Ａ４用紙は、横方向と縦方向の大きさが２１０ｍｍ×２９７ｍｍの長方形であり、紙面の上下に５ｍｍずつのマージンを取った場合、縦方向の一端から他端までの副走査方向における査領域は２８７ｍｍになる。１インチは２５．４ｍｍであるので、走査線数の数は、１２００×２８７／２５．４＝１３３５９．０５５…となり、１３３６０本の走査線が必要になる。このため、図７（Ａ）に示すように、１〜１３３６０ラインの走査線で画像データが構成されており、走査線の総ライン数の合計が偶数の場合、上下を反転すると図７（Ｂ）に示すように実潜像ラインと虚潜像ラインとが入れ替わってしまう。
【０００９】
すなわち、図７（Ａ）に示したように、正方向（ここでは、一方向を正方向といい、それに対向する方向を逆方向という）で画像データを印刷したときには、奇数ライン目は実潜像であり、偶数ライン目は虚潜像である。ここで、例えば最後の１３３６０ライン目に着目すると偶数ラインであり虚潜像になっている。これに対して図７（Ｂ）に示すように、上下を逆方向にして読出して印刷すると、図７（Ａ）における１３３６０ライン目は虚潜像であったが、図７（Ｂ）における図７（Ａ）での１３３６０ライン目は、１ライン目となり奇数ラインとなる。従って、実潜像になる。このように図７（Ｂ）では、図７（Ａ）では奇数ラインであり実潜像で描かれるラインが、偶数ラインとなり虚潜像で描かれ、図７（Ａ）では偶数ラインであり虚潜像で描かれるラインが、奇数ラインとなり実潜像で描かれる。しかし、同じ画像の一部を実潜像で描くか、あるいは虚潜像で描くかによって画像全体の濃度や階調性が変化してしまうという問題がある。
【００１０】
すなわち、図７（Ａ），（Ｂ）において、斜線部分は印字されるドットを示しているものとする。実潜像は、実際に存在する実データに基づく物理的走査線に相当する位置にあるのに対して、虚潜像は物理的走査線間のインターリーブ走査線に位置している。同じドットを印刷する場合、実潜像と、虚潜像では濃度や階調性が微妙に変化してしまう。
【００１１】
なお、図７（Ｂ）は説明の便宜のために、図７（Ａ）と同じ画像データを上下反転して示している。
【００１２】
そこで、この発明の目的は、矩形の用紙に長辺綴じで両面印刷を行うときのように、両面に形成される画像の濃度や階調が変化することがない画像形成装置を提供することである。
【課題を解決するための手段】
【００１３】
この発明に係る、画像形成装置は、主走査方向および主走査方向に直交する副走査方向に配列された画像データを主走査方向および副走査方向に走査することによって顕在化された画像を形成する。画像データは、副走査方向において、実データで構成された実潜像ラインと、実潜像ライン間を補完して形成された虚潜像ラインとを含み、画像データの副走査方向における一端から他端までを走査したときの走査線総数が奇数になるように画像データを保持するデータ保持手段を備える。
【００１４】
具体的には、データ保持手段は、画像データの副走査方向における一端から他端までを走査したときの走査線総数が偶数であるか否かを判別する判別手段と、判別手段によって判別された走査線総数が偶数であると判別されたことに応じて、走査線総数が奇数になるように画像データを補正する補正手段とを含む。
【００１５】
好ましくは、補正手段は、偶数と判別された走査線総数に１本の走査線を加算あるいは減算する。さらに好ましくは、画像データは、用紙上に顕在化され、走査線総数は、用紙のサイズにより予め決められており、判別手段は、用紙のサイズを判別することにより走査線総数が偶数であるか否かを判別する。
【００１６】
この発明の一つの実施の形態においては、画像データを用紙の両面に印刷する印刷手段と、補正手段によって補正されたデータを、用紙の一方面の印刷領域に、画像データを、副走査方向の一方端から読み出して印刷した後、用紙の他方面の印刷領域に、副走査方向の他方端から読み出して印刷するよう、印刷手段を制御する制御手段とをさらに含む。
【発明の効果】
【００１７】
この発明によれば、副走査方向において、実潜像ラインと、実潜像ラインを用いて形成された虚潜像ラインとを含む画像データの、画像データの副走査方向における一端から他端までを走査したときの走査線総数が奇数になるように、画像データを保持するデータ保持手段を備えるようにしたため、画像データを上下反転して描いても、同一画素が確実に実潜像ラインか虚潜像ラインかで統一されて作成することができる。したがって、画像形成のために、副走査方向の一方端側からデータを読み出しても、他方端側からデータを読み出しても同じ濃度の画像が形成できる。
【００１８】
その結果、矩形の用紙に長辺綴じで両面印刷を行うときのように、両面に形成される画像の濃度や階調や階調が変化することがない画像形成装置を提供できる。
【発明を実施するための最良の形態】
【００１９】
図１はこの発明の一実施形態の画像形成装置１０を示すブロック図である。図１において、画像形成装置１０は、例えば、デジタル複合機やファクシミリやプリンタなどである。画像形成装置１０は制御部１１と、制御部１１に接続されて制御される読取部１２と、操作部１３と、表示部１４と、印刷手段としての印刷部１５と、ハードディスク（ＨＤＤ）１６とを含む。制御部１１は、判別手段と、補正手段と、制御手段を構成している。
【００２０】
読取部１２は原稿を読取り、操作部１３はユーザが操作することにより印刷部数などを設定する。表示部１４は用紙サイズなどを表示する。印刷部１５は読取った画像を用紙に印刷する。ＨＤＤ１６は読取部１２で読取った画像データなどを格納する。格納された画像データが印刷部１５に与えられて印刷が行われる。
【００２１】
図２はこの発明の一実施形態における画像形成装置１０の動作を説明するためのフローチャートであり、図３はこの発明の一実施形態における画像形成装置１０で出力されるデータを示す図であり、図３（Ａ）は第１面（用紙のたとえば表面）のデータを示し、図３（Ｂ）は第２面（用紙のたとえば裏面）のデータを示す。
【００２２】
制御部１１は、ステップ（図示ではＳＰと略称する）ＳＰ１において、長辺綴じモードが設定されているか否かを判別し、長辺綴じモードでなければ、例えば短辺綴じモードなどの他の処理の設定であるかなどの判別を行う。長辺綴じモードであることを判別すると、ステップＳＰ２において、読取部１２で読取られて例えば、図示のないデータ保持手段としてのＲＡＭなどメモリに格納されているデータを出力する。ステップＳＰ３において、用紙の副走査方向における印刷領域の一端から他端までの走査線総数が偶数であるかどうかを判別する。走査線総数が偶数であれば、ステップＳＰ４において、メモリから読み出された画像データの走査線総数を補正し、奇数本であれば走査線総数を補正することなくステップＳＰ５に進む。
【００２３】
なお、ＲＡＭに記憶されているデータは、１ページの印刷領域に印刷されるデータであり、印刷領域の走査線総数が偶数本であれば、記憶されているデータの走査線総数も偶数本になっているものとする。
【００２４】
ここで、走査線総数の補正について具体例を挙げて説明する。従来例と同様にして、１２００ｄｐｉの擬似高解像度で、Ａ４用紙の短辺綴じ印刷を行う場合について説明する。Ａ４用紙は、図７（Ａ）で説明したように副走査方向に１３３６０本の走査線が必要になる。しかし、このままでは走査線の総数が偶数になるため、図３（Ａ）に示すようにデータの走査線を１本加算し、副走査方向における走査線総数が１３３６１本のように奇数になるように補正する。なお、走査線を１本減算して奇数本になるようにしてもよい。
【００２５】
なお、走査線総数は、予め用紙のサイズによって決定されているものとする。
【００２６】
ステップＳＰ５において、第１面の印刷であるか否かを判別し、第１面であれば、ステップＳＰ６において、例えば、図３（Ａ）に示した１〜１３３６１の走査線のデータを上側から順に読み出す正掃き出しを行い、印刷部１５において給紙された用紙の一方側から印刷する。第１面の印刷でなければ、第２面のデータであるため、ステップＳＰ７において、データを図３（Ｂ）に示すように上下を反転して、ステップＳＰ６において、１３３６１〜１の走査線の順（逆掃き出し）でデータを読出し、印刷を行う。
【００２７】
このように長辺綴じモードが設定されている場合に、用紙の印刷領域の副走査方向における一端から他端までの走査線総数が偶数であれば、印刷されるデータの副走査方向における走査線総数が奇数となるように補正することで、第２面に印刷するデータを第１面の印刷する場合の読出し方向と上下逆に読み出しても、同一画素が確実に実潜像ラインか虚潜像ラインかで統一されて作成することができる。その結果、第１面と第２面との画像の濃度や階調が微妙に変化することがない。
【００２８】
なお、データを格納する副走査方向におけるメモリの領域が奇数本となるように構成しておき、画像データの走査線総数が自動的に奇数本になるようにしてもよい。
【００２９】
また、上述の説明では、長編綴じモードにおいて画像を形成する場合の例について説明したが、これに限らず、プリンタに適用してもよく、画像データを副走査方向の逆方向から読み出して画像を形成する任意の場合にも使用できる。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３１】
【図１】この発明の一実施形態の画像形成装置を示すブロック図である。
【図２】この発明の一実施形態における画像形成装置の動作を説明するためのフローチャートである。
【図３】この発明の一実施形態における画像形成装置で出力されるデータを示す図であり、図３（Ａ）は第１面のデータを示し、図３（Ｂ）は第２面のデータを示す。
【図４】擬似高解像度の手法における実潜像と虚潜像とを示す図である。
【図５】実潜像ラインと虚潜像ラインを示す図である。
【図６】長辺綴じした場合の問題点を説明するための図である。
【図７】走査線総数が偶数本のデータを示す図である。
【符号の説明】
【００３２】
１０  画像形成装置、１１  制御部、１２  読取部、１３  操作部、１４  表示部、１５  印刷部、１６  ＨＤＤ。
【図１】
2007274098.tif 000003
【図２】
2007274098.tif 000004
【図３】
2007274098.tif 000005
【図４】
2007274098.tif 000006
【図５】
2007274098.tif 000007
【図６】
2007274098.tif 000008
【図７】
2007274098.tif 000009